(57)【要約】【課題】デスク装置のデスク天板の側方に体裁良く、しかも安定的にかつ強固に、キャビネットを吊支させた構造を有するデスク装置を提供することにある。【解決手段】柱状の２本の脚本体部５が、脚本体部５の上部にて横梁部６により連結された複数の脚体２と、脚体２の上部間に架設されたデスク天板３とを有するデスク装置である。キャビネット天板１１と底板１２と背板１３と、背板１３より後方に延出する延出部１４ａを有する左右の側板１４とによって構成された箱型のキャビネット４が、デスク天板３の側方に開口部を向け、かつ、そのキャビネット天板１１の上面をデスク天板３の上面と面一にして、脚体２の側部に支持構造で吊支されている。支持構造は、横梁部６に係止する一対の支持ブラケット１７が、左右の側板１４の延出部１４ａの内側にて、キャビネット４に連結することで構成されている。【選択図】図３
2014090921.tif 000002
【特許請求の範囲】
【請求項１】
床面上にて上下方向に立てて配置される柱状の２本の脚本体部が、該脚本体部の上部にて横梁部により相互に連結されて形成された複数の脚体と、前記脚体の上部間に架設されたデスク天板と、を有するデスク装置において、
キャビネット天板と底板と背板と、該背板より後方に延出する延出部を有する左右の側板とによって構成された箱型のキャビネットが、前記デスク天板の側方に開口部を向け、かつ、そのキャビネット天板の上面を前記デスク天板の上面と面一にして、前記脚体の側部に支持構造で吊支されており、
前記支持構造は、前記横梁部に係止する一対の支持ブラケットが、前記左右の側板の前記延出部の内側にて、前記キャビネットに連結することで構成されていることを特徴とするデスク装置。
【請求項２】
前記一対の支持ブラケットは、それぞれ前記延出部の内面および前記背板の背面に当接していることを特徴とする請求項１記載のデスク装置。
【請求項３】
前記支持ブラケットは、その係止爪が前記横梁部に設けられた係止孔に係止するとともに、前記脚本体部の、前記背板の背面に対向する側の外側面に当接していることを特徴とする請求項１又は２に記載のデスク装置。
【請求項４】
前記横梁部の前後方向中間部に、側方に向かって突出する中間ブラケットが設けられており、該中間ブラケットは、その先端部が前記キャビネットの背板の背面に当接していることを特徴とする請求項１〜３のいずれか一項に記載のデスク装置。
【請求項５】
前記キャビネットは、前記キャビネット天板も前記背板より後方に延出していることを特徴とする請求項１〜４のいずれか一項に記載のデスク装置。
【発明の詳細な説明】
【技術分野】
【０００１】
本発明は、オフィスの執務空間等で使用されるデスク装置に関する。
【背景技術】
【０００２】
一般にオフィスの執務空間等においては、床面上に左右に離間して配設された一対の脚体間に天板を架設することで構成されたデスク装置が使用されている。
このようなデスク装置の脚体としては、床面上に載置される前後方向を向く下部パイプと、下部パイプの後端部もしくは中間部から上方に向かって連設された縦パイプと、縦パイプ上端から前後方向に向かって連設された上部パイプとにより、側面視して前向きコ字状に構成されたもの（いわゆるＬ型脚）や、側面視してエ字状に構成されたもの（いわゆるＴ型脚）が知られている。また、パイプ材以外からなる脚体としては、床面上に載置・立設されたパネル状のものも知られている。
【０００３】
これらの構造では、脚体における床面接触部分が大きいため、脚体によって天板を強固にかつ安定的に支持することができる。しかし、一方では、使用者に重厚な印象を与えてしまい、デスク装置としての体裁が好ましくない場合もある。また、脚体の床面接触部分が大きいため、床面の清掃の際に作業の支障になり易い。
【０００４】
このような不具合が生じにくいデスク装置として、矩形状の天板ユニットの四隅に柱状の脚部をそれぞれ取り付け、柱状の脚部の各下端を床面上に設置するようにしたものも知られている。しかし、このデスク装置の構造では、柱状の脚部のみによって天板ユニットを支持することから、デスク装置の側方からの外力に対する強度的な面で不安がある。
【０００５】
このような問題を解決したデスク装置として、一対の柱状の脚本体部間を横梁部で相互に連結し、側面視下向きコ字状の構成した脚体（脚フレーム）を備えるものも知られている（例えば、特許文献１参照）。このようなデスク装置としては、例えば左右の脚体外側面より外方に、キャビネットや拡張天板、物品吊り下げフックなどのオプション部材を取り付け可能とする、オプション取付機能が備えられることが要望されている。
また、脚体外側面と他の脚体の側面とを連結する連結部材を連結可能にして支持体を構成し、該支持体によってデスク天板の下面を支持することにより、脚体外側面にデスク装置の拡張機能を設けたものも知られている（例えば、特許文献２参照）。
【先行技術文献】
【特許文献】
【０００６】
【特許文献１】特開２００８−１１９４１２号公報
【特許文献２】特開２００８−１１９４１３号公報
【発明の概要】
【発明が解決しようとする課題】
【０００７】
ところで、前記したようなオプション取付機能が備えられデスク装置では、オプション部材がキャビネットである場合、キャビネットをデスク天板の上方に配設すると使用者の視線を遮ってしまうという問題がある。したがって、その場合には、キャビネット天板の上面がデスク天板の上面と面一になるようにして、デスク装置のデスク天板の側方にキャビネットを配置し、使用者の視線を遮るという問題を解消するとともに、デスク装置の作業面をキャビネットの天板上にまで拡げている。
【０００８】
しかしながら、このような構造の場合、例えばキャビネットを床面上に独立して配設するとコスト高になり、さらに重厚な体裁になってしまうという問題がある。
一方、デスク装置のデスク天板の側方にキャビネットを吊り下げた状態で取り付ける構造を採用した場合、その吊り上げ状態、すなわち支持状態を充分な強度で安定的に維持する必要がある。しかし、このようなデスク装置にキャビネットを支持させる支持構造については、これが外部に露出すると外観意匠性が損なわれ、体裁が悪くなってしまう。
【０００９】
本発明は前記事情に鑑みてなされたもので、その目的とするところは、デスク装置のデスク天板の側方に体裁良く、さらには安定的にかつ強固に、キャビネットを吊支させた構造を有するデスク装置を提供することにある。
【課題を解決するための手段】
【００１０】
本発明のデスク装置は、床面上にて上下方向に立てて配置される柱状の２本の脚本体部が、該脚本体部の上部にて横梁部により相互に連結されて形成された複数の脚体と、前記脚体の上部間に架設されたデスク天板と、を有するデスク装置において、
キャビネット天板と底板と背板と、該背板より後方に延出する延出部を有する左右の側板とによって構成された箱型のキャビネットが、前記デスク天板の側方に開口部を向け、かつ、そのキャビネット天板の上面を前記デスク天板の上面と面一にして、前記脚体の側部に支持構造で吊支されており、
前記支持構造は、前記横梁部に係止する一対の支持ブラケットが、前記左右の側板の前記延出部の内側にて、前記キャビネットに連結することで構成されていることを特徴とする。
【００１１】
このデスク装置によれば、横梁部に係止する一対の支持ブラケットを、左右の側板の前記延出部の内側にて、前記キャビネットに連結することにより、キャビネットを脚体の側部に吊支する支持構造を構成しているので、この支持構造により、一対の支持ブラケットがキャビネットの側板の延出部の内側に隠れるようになる。したがって、これら支持ブラケットからなる支持構造が外部に露出しないため、外観意匠性が損なわれることなく、体裁が良くなる。
【００１２】
また、前記デスク装置において、前記一対の支持ブラケットは、それぞれ前記延出部の内面および前記背板の背面に当接していることが好ましい。
このようにすれば、デスク装置のデスク天板の側方にキャビネットを安定的にかつ強固に吊支することができる。
また、前記デスク装置において、前記支持ブラケットは、その係止爪が前記横梁部に設けられた係止孔に係止するとともに、前記脚本体部の、前記背板の背面に対向する側の外側面に当接していることが好ましい。
このようにすれば、支持ブラケットがキャビネットの背板の背面と脚本体部の外側面とにそれぞれ当接した状態でこれら背面と外側面との間に挟持されるため、キャビネットが脚体によってより安定的にかつ強固に吊支される。
【００１３】
また、前記デスク装置においては、前記横梁部の前後方向中間部に、側方に向かって突出する中間ブラケットが設けられており、該中間ブラケットは、その先端部が前記キャビネットの背板の背面に当接していることが好ましい。
このようにすれば、脚体に対してキャビネットをより安定した姿勢に保持することができる。
【００１４】
また、前記デスク装置において、前記キャビネットは、前記キャビネット天板も前記背板より後方に延出していることが好ましい。
このようにすれば、一対の支持ブラケットを、キャビネットの側板だけでなくキャビネット天板によっても隠すことができ、したがってキャビネットのみで支持ブラケットからなる支持構造が外部に露出するのを防ぐことができる。
【発明の効果】
【００１５】
本発明のデスク装置によれば、デスク装置のデスク天板の側方に体裁良くキャビネットを吊支させることができる。
【図面の簡単な説明】
【００１６】
【図１】本発明に係るデスク装置の一実施形態の概略構成を示す斜視図である。
【図２】図１に示したデスク装置の脚体を説明するための斜視図である。
【図３】（ａ）、（ｂ）はキャビネットの支持構造を説明するための図であって、（ａ）は脚体とキャビネットの接続を示す側断面図、（ｂ）は（ａ）のＡ−Ａ線矢視断面図である。
【図４】（ａ）、（ｂ）は本発明に係るデスク装置の他の実施形態の概略構成を示す図であり、（ａ）は脚体とキャビネットの接続を示す側断面図、（ｂ）は（ａ）のＢ−Ｂ線矢視断面図である。
【発明を実施するための形態】
【００１７】
以下、本発明に係るデスク装置の実施形態を図面に基づいて詳しく説明する。
なお、以下の説明においては、床面Ｆと直交する方向を上下方向と記し、矩形状のデスク天板３の長辺の長さ方向を幅方向、デスク天板３の短辺の長さ方向を奥行方向と記すものとし、図中ＬＨ、ＲＨを結ぶ矢印は幅方向を指し、図中ＦＲ、ＲＲを結ぶ矢印は奥行方向を指すものとする。奥行方向は、後述する脚体２の横梁部６の長さ方向と一致する方向であり、幅方向は、上下方向と奥行方向に対して直交する方向である。
【００１８】
図１は、本発明に係るデスク装置の一実施形態の概略構成を示す斜視図であり、図１中符号１はデスク装置である。このデスク装置１は、一対の脚体２と、これら脚体２の上部間に架設された平面視矩形状のデスク天板３と、一方の脚体２の側部に吊支されたキャビネット４とを有して構成されている。
【００１９】
脚体２は、図２に示すように床面Ｆ上にて上下方向に立てて配置される柱状の２本の脚本体部５、５と、奥行方向に沿って延び、前記脚本体部５、５のそれぞれ上部にてこれらの間を相互に連結する横梁部６と、を備えて構成されている。各脚本体部５は、金属製の角パイプによって主要部が形成され、その角パイプの上下の端部にエンドプレートが溶接固定されている。
【００２０】
横梁部６は、プレス成形された２枚の金属プレートが組み合わされ、その主要部が筒状に形成されている。横梁部６の長さ方向の両端部は、脚本体部５、５の各上部側面に溶接固定されている。このような構成のもとに、２本（一対）の脚本体部５、５の上部に横梁部６が連結されてなる脚体２は、幅方向から見た側面視が門型状（開口側が下方を向くコ字形状）となっている。なお、本実施形態では、横梁部６が脚本体部５、５の外側面（デスク天板３の幅方向外側を向く面）より少し内側に引っ込んで位置するように、取り付けられている。
【００２１】
横梁部６の外側面（デスク天板３の幅方向における外側の面）には、奥行方向に沿って溝状の凹状段部７が形成されている。凹状段部７内には、奥行方向の両端部に、それぞれ後述する支持構造を構成する支持ブラケットの係止爪を係止させるスリット状の係止孔８、８が、上下に並んで形成配置されている。これらスリット状の係止孔８は、スリットの長さ方向が上下方向を向くように、上下に並んで配置されている。
また、奥行方向の中間部には、後述する中間ブラケットを取り付けるための取付孔９が複数形成されている。
【００２２】
本実施形態では、キャビネット４が取り付けられる側の脚体２はその凹状段部７が露出させられて、ここにキャビネット４が取り付けられるようになっている。一方、キャビネット４が取り付けられない側の脚体２は、その凹状段部７にカバー部材１０が着脱可能に被着され、凹状段部７が露出しないように構成されている。
【００２３】
図１に示したように一対の脚体２のうちの一方の脚体２の側部には、キャビネット４が吊支されている。このキャビネット４は、キャビネット天板１１と底板１２と背板１３と左右の側板１４、１４と仕切り板１５とが、箱状に組み立てられて構成されたもので、その開口部がデスク天板３の側方、すなわちデスク天板３の幅方向外方に向けて配設されている。なお、仕切り板１５は、左右の側板１４の中間部に配置され、キャビネット４内に形成される収容空間を左右に仕切っている。
【００２４】
また、このキャビネット４では、図３（ａ）、（ｂ）に示すようにキャビネット天板１１、底板１２、左右の側板１４、１４が、それぞれ背板１３の背面１３ａより後方に延出して形成されている。すなわち、キャビネット天板１１には、背板１３より後方に延出する天板延出部１１ａが形成され、底板１２には、背板１３より後方に延出する底板延出部１２ａが形成され、側板１４には、背板１３より後方に延出する側板延出部１４ａが形成されている。
【００２５】
これら天板延出部１１ａ、底板延出部１２ａ、左右の側板延出部１４ａ、１４ａに囲まれた空間部は、ブラケット収容部１６となっており、本発明に係る支持構造を構成する支持ブラケット１７や中間ブラケット１８を収容する空間となっている。
そして、このような構成からなるキャビネット４は、図１、図３（ａ）に示すように、そのキャビネット天板１１の上面を前記デスク天板３の上面と面一にして、一方の脚体２の側部、すなわちデスク天板３の幅方向の外側部に吊支されている。また、このように吊支された状態にて、キャビネット４はそのキャビネット天板１１の後端面がデスク天板３の側端面に突き合わされ、当接させられている。
【００２６】
キャビネット４を脚体２の側部に吊支するための支持構造は、図３（ａ）、（ｂ）に示すように本実施形態では前記の支持ブラケット１７と中間ブラケット１８とによって構成されている。なお、支持ブラケット１７はキャビネット４の左右の側板延出部１４ａに取り付けられるように一対設けられており、中間ブラケット１８はキャビネット４の背板１３の中間部に所定間隔をあけて複数設けられている。
【００２７】
支持ブラケット１７は、金属板が抜き加工や折り曲げ加工されたことによって所定形状に形成されたもので、図３（ａ）に示すように上下方向、すなわちキャビネット４の背板１３の高さ方向（上下方向）に沿って延びるブラケット本体１９と、該ブラケット本体１９の上端部の後側（脚体２側）に板状の形成部２０を介して上下に形成された一対の係止爪２１、２１と、を有している。
【００２８】
係止爪２１は、形成部２０より後方に延びた後下降する、Ｌ字状に折曲した鉤状のものである。このような構成のもとに係止爪２１は、前記したスリット状の係止孔８（図２参照）に挿入された後下方に引き落とされることにより、折曲部分がスリット（係止孔８）の下端に引っかかり、前方に引っ張られても外れないように係止するようになっている。
【００２９】
また、ブラケット本体１９は、図３（ｂ）に示すように平面視した形状がコ字状に折り曲げられている。すなわち、形成部２０を形成した後板２２と、側板２３と、前板２４とが横断面視コ字状に配置されたことにより、ブラケット本体１９が形成されている。形成部２０を形成した後板２２は、その幅方向が横梁部６の長さ方向に一致させられていることにより、一方の側部が前記脚本体部５の外側面５ａ（キャビネット４の背板１３の背面１３ａに対向する側の面）に当接している。
【００３０】
また、側板２３は、キャビネット４の側板１４に平行に配置され、その側板延出部１４ａの内面に当接させられた状態でネジ止めされている。その際、ネジ２５は、側板延出部１４ａを貫通することなく、その内面側に形成されたネジ孔（図示せず）に螺合させられており、したがってネジ孔やネジ２５は、側板１４の外面には露出しないようになっている。
前板２４は、キャビネット４の背板１３に平行に配置され、該背板１３の背面１３ａに当接させられている。ただし、前板２４については、必ずしも背板１３の背面１３ａに当接させられることなく、該背面１３ａから離間してこれに近接した状態で配置されていてもよい。
【００３１】
このような構成によってブラケット本体１９は、キャビネット４の背板１３の背面１３ａと脚本体部５の外側面５ａとにそれぞれ当接した状態でこれら背面１３ａと外側面５ａとの間に挟持され、その状態で側板延出部１４ａの内面に当接した側板２３が、図３（ａ）に示すように上下２箇所でネジ止めされている。したがって、支持ブラケット１７は、その上端部の係止爪２１、２１が横梁部６の係止孔８に係止され、ブラケット本体１９がブラケット収容部１６にてキャビネット４の背板１３の背面１３ａと脚本体部５の外側面５ａと側板延出部１４ａの内面とにそれぞれ当接した状態でネジ止めされていることにより、キャビネット４を脚体２に安定的にかつ強固に吊支している。
【００３２】
なお、このような構成の支持ブラケット１７は、キャビネット４の左側の側板１４（側板延出部１４ａ）に取り付けられるものと、右側の側板１４（側板延出部１４ａ）に取り付けられるものとでは、形成部２０及び係止爪２１に対するブラケット本体の１９の、折曲する方向が逆になっている。すなわち、左側の側板１４に取り付けられるものと、右側の側板１４に取り付けられるものとは、左右が対称な構造になっている。したがって、支持ブラケット１７については予め左側用と右側用の２種類を用意しておき、これらをそれぞれ対応する側の側板延出部１４ａに取り付けるようにする。
【００３３】
中間ブラケット１８は、図３（ｂ）に示すように金属板が折り曲げ加工されたことによって所定形状に形成されたもので、横梁部６の奥行方向（前後方向）中間部に複数（一つでも可）設けられている。該中間ブラケット１８は、横梁部６の凹状段部７に当接して前記取付孔９（図２参照）にネジ止めされた一対の取付板２６と、これら一対の取付板２６間に連続して形成された横断面視コ字状の折曲板２７とからなるもので、折曲板２７の中間板２７ａ（先端部）がキャビネット４の背板１３の背面１３ａに当接してこれにネジ止めされている。このような構成のもとに中間ブラケット１８は、キャビネット４の背板１３の背面１３ａと横梁部６とにそれぞれ当接した状態でこれら背面１３ａと横梁部６との間に挟持され、ネジ止めされることにより、脚体２に対してキャビネット４をより安定した姿勢に保持するようになっている。
【００３４】
このような構成のデスク装置１において、脚体２にキャビネット４を組み付け、吊支するには、例えば支持ブラケット１７をキャビネット４のブラケット収容部１６内に配置し、その前板２４を背板１３の背面１３ａに、また側板２３をキャビネット４の側板延出部１４ａ内面にそれぞれ当接させた状態で、ネジ２５によって側板２３を側板延出部１４ａにネジ止めする。なお、支持ブラケット１７は左右対称となる形状のものを一対用意し、これらをそれぞれ対応する側板延出部１４ａ側に配置した後、前記したようにネジ止めする。
また、中間ブランケット１８についても、ブラケット収容部１６内に配置し、その中間板２７ａを背板１３にネジ止めする。
【００３５】
次いで、このようにして支持ブラケット１７、中間ブラケット１８を取り付けたキャビネット４を、これが吊支される側の脚体２の側方に位置させ、その背板１３側に固定した支持ブラケット１７の係止爪２１を横梁部６の係止孔８内に挿入する。そして、キャビネット４を引き落として係止爪２１を係止孔８に係止させ、かつ支持ブラケット１７の後板２２を脚本体部５の外側面５ａに当接させた後、中間ブラケット１８の取付板２６を横梁部６の取付孔９にネジ止めする。
【００３６】
本実施形態のデスク装置１あっては、係止爪２１が横梁部６に係止する一対の支持ブラケット１７、１７を、キャビネット４の左右の側板１４の側板延出部１４ａの内側にて、それぞれ該側板延出部１４ａの内面および背板１３の背面１３ａに当接させた状態でキャビネット４に連結することにより、キャビネット４を脚体２の側部に吊支する支持構造を構成しているので、この支持構造により、デスク装置１のデスク天板３の側方にキャビネット４を安定的にかつ強固に吊支することができる。したがって、キャビネット４のキャビネット天板１１を、デスク天板３に対して面一な状態に保持することができる。
また、一対の支持ブラケット１７、１７がキャビネット４の側板延出部１４ａの内側に隠れ、これら支持ブラケット１７、１７からなる支持構造が外部に露出しないため、外観意匠性が損なわれることなく、したがって体裁を良くすることができる。
【００３７】
また、支持ブラケット１７のブラケット本体１９を、脚本体部５の外側面５ａに当接させているので、支持ブラケット１７がキャビネット４の背板１３の背面１３ａと脚本体部５の外側面５ａとにそれぞれ当接した状態でこれら背面１３ａと外側面５ａとの間に挟持されるようになり、したがってキャビネット４を脚体２によってより安定的にかつ強固に吊支することができる。
【００３８】
また、横梁部６の前後方向中間部に、側方に向かって突出する中間ブラケット１８を設け、該中間ブラケット１８の先端部をキャビネット４の背板１３の背面１３ａに当接させているので、脚体２に対してキャビネット４をより安定した姿勢に保持することができる。
また、キャビネット４のキャビネット天板１１にも天板延出部１１ａを形成しているので、一対の支持ブラケット１７、１７を、キャビネット４の側板延出部１４ａ、１４ａだけでなく天板延出部１１ａによっても隠すことができる。したがって、キャビネットのみで支持ブラケットからなる支持構造が外部に露出するのを防ぐことができる。
【００３９】
図４（ａ）、（ｂ）は、本発明に係るデスク装置の他の実施形態の概略構成を示す図であり、（ａ）は脚体２とキャビネット４の接続を示す側断面図、（ｂ）は（ａ）のＢ−Ｂ線矢視断面図である。
本実施形態が図３（ａ）、（ｂ）に示した実施形態と異なるところは、中間ブラケット１８に対する構成にある。すなわち、本実施形態では図４（ａ）、（ｂ）に示すように、中間ブラケット１８に対してこれの支持強度を高める補強構造が設けられている。
【００４０】
この補強構造は、横梁部６の底面にネジ止めされた底部材２８と、底部材２８に螺合した調整ネジ２９と、中間ブラケット１８の折曲板２７の下側を保持する保持金物３０とによって構成されている。底部材２８は、平面視矩形状の底板と、該底板の各辺から立ち上がる側板とによって形成されたものである。この底部材２８は、一方の辺側が横梁部６の底面にネジ止め固定され、他方の辺側がキャビネット４の背板１３側に延出している。
【００４１】
調整ネジ２９は、底部材２８の、背板１３側に延出した部位に螺合されたもので、底部材２８の下方に突出した調整部（図示せず）、あるいは底部材２８の上方に位置する大径の支持部２９ａが順方向または逆方向に回されることにより、支持部２９ａが昇降するようになっている。
保持金物３０は、側面視コ字状に形成されたもので、その凹部内に中間ブラケット１８の折曲板２７の下側を保持することにより、該折曲板２７を支持している。そして、その底面が調整ネジ２９の支持部（頭部）２９ａに支持されていることにより、保持金物３０は調整ネジ２９によって折曲板２７を持ち上げるように支持するようになっている。
【００４２】
すなわち、調整ネジ２９が回動されて調整ネジ２９の支持部２９ａが上昇させられることにより、保持金物３０が持ち上げられる。これにより、横梁部６に対して中間ブラケット１８が持ち上げられ、該中間ブラケット１８を介してキャビネット４が持ち上げられる。
【００４３】
したがって、本実施形態にあっては、中間ブラケット１８に対してこれの支持強度を高める補強構造を設けているので、この中間ブラケット１８を介してキャビネット４の支持強度を高めることができ、これによってキャビネット４をより安定的にかつ強固に吊支することができる。すなわち、キャビネット４を安定的にかつ強固に吊支することにより、キャビネット４のキャビネット天板１１を、デスク天板３に対して面一な状態に保持することができる。
また、キャビネット天板１１の遊端部側（デスク天板３と反対の側）が、キャビネット４の自重によって下方に向かって傾斜（前垂れ）してしまった場合においても、前記の補強構造によって角度調整をすることができる。
【００４４】
なお、本実施形態では、調整ネジ２９によって保持金物３０を介してキャビネット４を持ち上げ、これによってキャビネット４をより安定的にかつ強固に吊支するようにしたが、例えば、調整ネジ２９の支持部２９ａを直接又は間接的にキャビネット４の背板１３の背面１３ａの下端側に当接させてこれを押圧するように構成し、図４（ａ）中の矢印Ｃで示すように中間ブラケット１８を支点にしてキャビネット４を下から上に持ち上げるようにしてもよい。このように構成しても、キャビネット４をより安定的にかつ強固に吊支することができる。
【００４５】
また、前記実施形態では、図３（ａ）や図４（ａ）に示したように、脚体２が、デスク天板３の側端部に設けられている場合について説明したが、本発明は脚体２がデスク天板３の側端部より例えば数ｃｍ〜数十ｃｍ程度内側に配置されている場合にも、適用可能である。その場合、キャビネット４には、天板延出部１１ａを形成することなく、左右の側板延出部１４ａと、必要に応じて底板延出部１２ａとを形成しておく。
【００４６】
このように構成しても、左右の側板延出部１４ａによって支持ブラケット１７からなる支持構造の側部を隠すことができ、また、デスク天板３によって支持構造の上部を隠すことができる。したがって、体裁を良くすることができる。
【００４７】
また、前記実施形態では、横梁部６を脚本体部５、５の外側面（デスク天板３の幅方向外側を向く面）より少し内側に引っ込ませて位置させたが、横梁部６を、その側部（凹状段部７の開口側の側部）が脚本体部５、５の外側面と面一になるように配置してもよい。その場合には、支持ブラケット１７の後板２２は脚本体部５の外側面５ａだけでなく、横梁部６の側部にも当接するようになり、支持ブラケット１７はより強固に横梁部６に連結する。したがって、キャビネット４をより安定的にかつ強固に吊支することができる。
【００４８】
また、前記実施形態では、デスク天板３に対してその幅方向の両端部に一対（２つ）の脚体２を設けたが、例えばデスク本体３の幅（図１中ＬＨ、ＲＨを結ぶ矢印で示される幅方向の長さ）が長い場合には、デスク本体３の幅方向の中間部に別に脚体２を設けてもよい。
【符号の説明】
【００４９】
１…デスク装置、２…脚体、３…デスク天板、４…キャビネット、５…脚本体部、５ａ…外側面、６…横梁部、８…係止孔、１１…キャビネット天板、１１ａ…天板延出部、１３…背板、１３ａ…背面、１４…側板、１４ａ…側板延出部（延出部）、１７…支持ブラケット、１８…中間ブラケット、２１…係止爪、２７ａ…中間板（先端部）、Ｆ…床面
【図１】
2014090921.tif 000003
【図２】
2014090921.tif 000004
【図３】
2014090921.tif 000005
【図４】
2014090921.tif 000006